【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
複数の焦点検出領域について合焦度合いに関する情報を取得する取得手段と、
前記複数の焦点検出領域それぞれについて、合焦度合いを含む複数の情報を示すフォーカスガイドを、撮像手段により撮像されたライブビュー画像に重畳して表示するように制御する表示制御手段と、を有し、
前記表示制御手段は、合焦度合いが低い焦点検出領域に対応するフォーカスガイドを、合焦度合いが高い焦点検出領域に対応するフォーカスガイドよりも小さく表示する、または、合焦度合いが低い焦点検出領域に対応するフォーカスガイドには、前記複数の情報のうちの少なくとも１つの情報を表示しないことにより、簡略表示するように制御する、
ことを特徴とする表示制御装置。
【請求項２】
前記表示制御手段は、前記合焦度合いの情報として、前ピン状態であるか、または、後ピン状態であるかを識別可能な表示アイテムを前記フォーカスガイドとして表示することを特徴とする請求項１に記載の表示制御装置。
【請求項３】
前記表示制御手段は、前記合焦度合いの情報として、デフォーカス量を示す表示アイテムを前記フォーカスガイドとして表示することを特徴とする請求項１又は２に記載の表示制御装置。
【請求項４】
前記表示制御手段は、前記合焦度合いの情報を識別可能な表示アイテムを表示することを特徴とする請求項１に記載の表示制御装置。
【請求項５】
前記表示制御手段は、前記合焦度合いと前記焦点検出領域の位置とを含む複数の情報を、前記フォーカスガイドとして表示することを特徴とする請求項１乃至４のいずれか１項に記載の表示制御装置。
【請求項６】
前記表示制御手段は、
合焦度合いが第１の閾値よりも低い焦点検出領域に対応するフォーカスガイドを、合焦度合いが前記第１の閾値以上である焦点検出領域に対応する第１の表示形態のフォーカスガイドよりも簡略化した第２の表示形態で表示することを特徴とする請求項１に記載の表示制御装置。
【請求項７】
前記第１の表示形態のフォーカスガイドは、対応する焦点検出領域を示す枠と、合焦度合いを示す指標と、フォーカス操作方向を示す指標とを含む表示形態であり、
前記第２の表示形態のフォーカスガイドは、対応する焦点検出領域を示す枠と、合焦度合いを示す指標と、フォーカス操作方向を示す指標のうち少なくとも１つを含まない表示形態であることを特徴とする請求項６に記載の表示制御装置。
【請求項８】
前記第１の表示形態のフォーカスガイドは、対応する焦点検出領域を示す枠と、合焦度合いを示す指標と、フォーカス操作方向を示す指標とを含む表示形態であり、
前記第２の表示形態のフォーカスガイドは、対応する焦点検出領域を示す枠を含まず、合焦度合いを示す指標と、フォーカス操作方向を示す指標とを含む表示形態であることを特徴とする請求項６に記載の表示制御装置。
【請求項９】
前記表示制御手段は、
合焦度合いが前記第２の閾値よりも低い焦点検出領域に対応するフォーカスガイドを、合焦度合いが前記第２の閾値以上でかつ前記第１の閾値未満である焦点検出領域に対応する前記第２の表示形態のフォーカスガイドよりも簡略化した第３の表示形態で表示することを特徴とする請求項６乃至８の何れか１項に記載の表示制御装置。
【請求項１０】
前記第１の表示形態のフォーカスガイドは、対応する焦点検出領域を示す枠と、合焦度合いを示す指標と、フォーカス操作方向を示す指標とを含む表示形態であり、
前記第２の表示形態のフォーカスガイドは、対応する焦点検出領域を示す枠と、合焦度合いを示す指標と、フォーカス操作方向を示す指標のうち少なくとも１つを含まない表示形態であり、
前記第３の表示形態のフォーカスガイドは、対応する焦点検出領域を示す枠と、合焦度合いを示す指標と、フォーカス操作方向を示す指標のうち少なくとも２つを含まない表示形態であることを特徴とする請求項９に記載の表示制御装置。
【請求項１１】
前記表示制御手段は、合焦度合いが第３の閾値よりも低い焦点検出領域に対応するフォーカスガイドは表示しないように制御することを特徴とする請求項６乃至１０のいずれか１項に記載の表示制御装置。
【請求項１２】
前記表示制御手段は、合焦度合いにかかわらず、フォーカスを手動調整するフォーカス操作手段に対してより合焦させるために操作すべき方向が、最後に前記フォーカス操作手段に対して行われた操作方向と異なる焦点検出領域に対応するフォーカスガイドは表示しないように制御することを特徴とする請求項１乃至１１のいずれか１項に記載の表示制御装置。
【請求項１３】
前記表示制御手段は、合焦度合いが低い焦点検出領域に対応するフォーカスガイドは、前記複数の情報のうちの少なくとも１つの情報を表示しないことにより、簡略表示するように制御し、焦点検出領域の数が所定値未満である場合には、合焦度合いに関わらず前記フォーカスガイドを簡略表示せずに前記複数の情報を表示するように制御することを特徴とする請求項１乃至１２のいずれか１項に記載の表示制御装置。
【請求項１４】
複数の焦点検出領域について合焦度合いに関する情報を取得する取得ステップと、
前記複数の焦点検出領域それぞれについて、合焦度合いを含む複数の情報を示すフォーカスガイドを、撮像手段により撮像されたライブビュー画像に重畳して表示するように制御する表示制御ステップと、を有し、
前記表示制御ステップでは、合焦度合いが低い焦点検出領域に対応するフォーカスガイドを、合焦度合いが高い焦点検出領域に対応するフォーカスガイドよりも小さく表示する、または、合焦度合いが低い焦点検出領域に対応するフォーカスガイドには、前記複数の情報のうちの少なくとも１つの情報を表示しないことにより、簡略表示するように制御することを特徴とする表示制御装置の制御方法。
【請求項１５】
コンピュータを、請求項１乃至１３のいずれか１項に記載される表示制御装置の各手段として機能させるためのプログラム。
【請求項１６】
コンピュータを、請求項１乃至１３のいずれか１項に記載される表示制御装置の各手段として機能させるためのプログラムを格納したコンピュータが読み取り可能な記憶媒体。
【手続補正２】
【補正対象書類名】明細書
【補正対象項目名】０００９
【補正方法】変更
【補正の内容】
【０００９】
本発明に係る表示制御装置は、複数の焦点検出領域について合焦度合いに関する情報を取得する取得手段と、前記複数の焦点検出領域それぞれについて、合焦度合いを含む複数の情報を示すフォーカスガイドを、撮像手段により撮像されたライブビュー画像に重畳して表示するように制御する表示制御手段と、を有し、前記表示制御手段は、合焦度合いが低い焦点検出領域に対応するフォーカスガイドを、合焦度合いが高い焦点検出領域に対応するフォーカスガイドよりも小さく表示する、または、合焦度合いが低い焦点検出領域に対応するフォーカスガイドには、前記複数の情報のうちの少なくとも１つの情報を表示しないことにより、簡略表示するように制御する、ことを特徴とする。
【手続補正３】
【補正対象書類名】明細書
【補正対象項目名】００１０
【補正方法】変更
【補正の内容】
【００１０】
本発明によれば、撮像画像に重畳表示するフォーカスガイドを合焦度合い応じた表示形態とすることで、画面上の情報量を減らすことができる。これにより、フォーカスガイドを複数表示した場合でも、画面上の情報量が膨大となることを防ぎ、視認性を改善できる。